(57)【要約】【課題】解除ボタンの設置要望があった場合、費用を格段に安く対応できるエレベーター装置を提供する。【解決手段】乗りかご１内に設けられた操作盤２に、非常時通話呼び出しボタン３が備えられ、この非常時通話呼び出しボタン３が操作された時、乗りかご１に設けられた警報ブザー６を鳴動させるとともに、居室１１内に設けられた通話器１２と会話できるように構成し、かつ、前記通話器１２に前記警報ブザー６の鳴動を解除する警報解除ボタン１３を備え、一方、前記操作盤２に、前記通話器１２の設けられた居住階への行き先階床ボタン４の操作を無効とするサービス切り離しスイッチ５を備えたエレベーター装置において、前記警報解除ボタン１３に、前記サービス切り離しスイッチ５の操作を一時的に無効とする解除機能を備えた構成。【選択図】図１
2006131310.tif 000002
【特許請求の範囲】
【請求項１】
乗りかご内に設けられた操作盤に、非常時通話呼び出しボタンが備えられ、この非常時通話呼び出しボタンが操作された時、乗りかごに設けられた警報ブザーを鳴動させるとともに、居室内に設けられた通話器と会話できるように構成し、かつ、前記通話器に前記警報ブザーの鳴動を解除する警報解除ボタンを備え、一方、前記操作盤に、前記通話器の設けられた居住階への行き先階床ボタンの操作を無効とするサービス切り離しスイッチを備えたエレベーター装置において、
前記警報解除ボタンに、前記サービス切り離しスイッチの操作を一時的に無効とする解除機能を備えたことを特徴とするエレベーター装置。
【請求項２】
前記解除機能は、前記警報解除ボタンを２度押しすることにより行えるようにしたことを特徴とする請求項１記載のエレベーター装置。
【請求項３】
前記解除機能は、一度のみ前記サービス切り離しスイッチの操作を無効とするようにしたことを特徴とする請求項１又は２記載のエレベーター装置。
【発明の詳細な説明】
【技術分野】
【０００１】
本発明は、居室に乗りかご内と会話できる通話器を備えたエレベーター装置に関する。
【背景技術】
【０００２】
一般に、乗りかご内の操作盤に設けられた非常時通話呼び出しボタンが操作された時、管理人室に設けられた通話器と会話できるようになっている。しかし、比較的小規模の建物の場合、管理人室を設けたり、管理人を雇用することは費用が掛かるため、その建物を所有するオーナー宅(通常最上階)に通話器が設置されていた。
【０００３】
一方、防犯上、乗りかごの操作盤に、前記通話器の設けられた居住階への行き先階床ボタンの操作を無効とするサービス切り離しスイッチが備えられている。このため、最近では、居住者の家族や知人が訪れた時、操作盤に設けられたサービス切り離しスイッチの操作を無効とする解除ボタンを通話器のある居室に設けることが行われていた。
【発明の開示】
【発明が解決しようとする課題】
【０００４】
しかしながら、過去に設置したものでは、解除ボタンを設置していない例が多々あり、このような建物で居住者の要望により解除ボタンを追加するとなると解除ボタンの新たな設置、居室からエレベーター機械室までの配管ケーブルの追加等が生じ多大の費用が掛かるという問題があった。
【０００５】
本発明は、上述した従来技術における実情からなされたもので、その目的は、解除ボタンの設置要望があった場合、費用を格段に安く対応できるエレベーター装置を提供することにある。
【課題を解決するための手段】
【０００６】
前記目的を達成するために、本発明は、乗りかご内に設けられた操作盤に、非常時通話呼び出しボタンが備えられ、この非常時通話呼び出しボタンが操作された時、乗りかごに設けられた警報ブザーを鳴動させるとともに、居室内に設けられた通話器と会話できるように構成し、かつ、前記通話器に前記警報ブザーの鳴動を解除する警報解除ボタンを備え、一方、前記操作盤に、前記通話器の設けられた居住階への行き先階床ボタンの操作を無効とするサービス切り離しスイッチを備えたエレベーター装置において、前記警報解除ボタンに、前記サービス切り離しスイッチの操作を一時的に無効とする解除機能を備えたことを特徴とする。
【０００７】
このように構成した本発明は、警報解除ボタンに、前記サービス切り離しスイッチの操作を無効とする解除機能を備えただけのため、新たに解除ボタンを設置することが無いと共に、配管配線ケーブル追加等も必要とせず、格段に安い対応ができる。
【発明の効果】
【０００８】
本発明によれば、警報解除ボタンに、前記サービス切り離しスイッチの操作を無効とする解除機能を備えたため、新たに解除ボタンを設置することが無いと共に、配管配線ケーブル追加等も必要とせず、格段に安い対応ができる。
【発明を実施するための最良の形態】
【０００９】
以下、本発明に係るエレベーター装置の実施形態を図に基づいて説明する。
【００１０】
図１は本発明のエレベーター装置の一実施形態を示す概念図、図２は本発明のエレベーター装置の操作手順を示すフローチャートである。
【００１１】
図において、１は乗りかご、２は前記乗りかご１に設けられている操作盤で、この操作盤２には非常時通話呼び出しボタン３、居住階への行き先階床ボタン４、居住階への行き先階床ボタンの操作を無効とするサービス切り離しスイッチ５が設けられている。６は非常時通話呼び出しボタン３が操作された時鳴動する警報ブザーである。７は制御盤で、この制御盤７にはマイコン８が設けられ、このマイコン８には第２図のフローチャートを指令する中央演算処理装置９が設けられている。１０は解除ボタン検知回路、１１は居室で、この居室１１には通話器１２が設けられ、この通話器１２は配管１４を通る配線１５を介して解除ボタン検知回路１０と接続されている。１３は通話器１２に設けられた警報解除ボタンである。
【００１２】
図２において、非常時通話呼び出しボタン３が操作された場合（手順S１）、通常通り警報ブザー６が鳴動を開始すると共に居室１１内にある通話器１２を呼び出す（手順S２）。居室１１内居る居住者(図示せず)は通話器１２で乗りかご１内で非常時通話呼び出しボタン３を操作した人と会話すると共に警報解除ボタン１３を操作する（手順S３）。警報解除ボタン１３が操作されることにより警報ブザー６の鳴動は解除ボタン検知回路１０により解除され鳴動を停止する（手順S４）。手順S３で警報解除ボタン１３が操作されない場合は、手順S２の前に戻り、警報ブザー６の鳴動を続けると共に通話器１２の呼び出しも継続する。
【００１３】
一方、非常時通話呼び出しボタン３が操作されず、サービス切り離しスイッチ５がON状態にある時（手順S５）、前記通話器１２の設けられた居住階(通常最上階)への行き先階床ボタン４の操作を無効とするサービスが開始される（手順S６）。居住者が携帯電話などの方法で外部からサービス切り離しスイッチ５の一時解除の連絡を受けた場合、居住者は警報解除ボタン１３を２度押しする(手順S７)。この警報解除ボタン１３の２度押しを解除ボタン検知回路１０が検知すると中央演算処理装置９が居住階への行き先階床ボタン４の操作を無効としていた回路を１回だけ解除し、居住階への行き先階床ボタン４の操作を有効なものとする（手順S８）。
【００１４】
これにより、居住者階に訪問する親族や知人は、居住階への行き先階床ボタン４を操作して容易に居住階を訪問することができる。
【００１５】
このように、警報解除ボタン１３をサービス切り離しスイッチ５の一時解除ボタンとして共用したため、新たに解除ボタンを設ける必要が無いばかりか、解除ボタン検知回路１０と中央演算処理装置９の変更で、サービス切り離しスイッチ５の一時解除を行うことができ、新たに配管、配線の必要が無く格安に対応することができる。
【００１６】
なお、上記一実施形態では、サービス切り離しスイッチ５の一時解除を警報解除ボタン１３の２度押しで行うようにしたが、数秒間の長押しや２回以上の複数回で行うようにしても良い。
【図面の簡単な説明】
【００１７】
【図１】本発明のエレベーター装置の一実施形態を示す概念図である。
【図２】本発明のエレベーター装置の操作手順を示すフローチャートである。
【符号の説明】
【００１８】
１    乗りかご
２    操作盤
３    非常時通話呼び出しボタン
４    行き先階床ボタン
５    サービス切り離しスイッチ
６    警報ブザー
７    制御盤
８    マイコン
９    中央演算処理装置
１０  解除ボタン検知回路
１１  居室
１２  通話器
１３  警報解除ボタン
【図１】
2006131310.tif 000003
【図２】
2006131310.tif 000004